(57)【要約】  本発明の一態様例によれば、燃焼機関（１）であって、それぞれ少なくとも１つのシリンダ（１４）に連結された第１の排気ガス流路（１３）および別個の第２の排気ガス流路（１２）であって、第１の排気ガス流路（１３）がターボチャージャ（２）にさらに連結され、第２の排気ガス流路（１２）がターボチャージャ（２）を迂回するように構成される、第１の排気ガス流路（１３）および第２の排気ガス流路（１２）と、シリンダ（１４）内の排気ガス圧力を制御するように構成された、第２の排気ガス流路（１２）内の絞り弁（１０）と、を備える燃焼機関（１）が提供される。【選択図】図１
2020514607.tif 000002
【特許請求の範囲】
【請求項１】
燃焼機関（１）であって、
それぞれ少なくとも１つのシリンダ（１４）に連結された第１の排気ガス流路（１３）および別個の第２の排気ガス流路（１２）であって、前記第１の排気ガス流路（１３）がターボチャージャ（２）にさらに連結され、前記第２の排気ガス流路（１２）が前記ターボチャージャ（２）を迂回するように構成される、第１の排気ガス流路（１３）および第２の排気ガス流路（１２）と、
前記シリンダ（１４）内の排気ガス圧力を制御するように構成された、前記第２の排気ガス流路（１２）内の絞り弁（１０）と、
を備える燃焼機関（１）。
【請求項２】
前記燃焼機関（１）が２行程機関である、請求項１に記載の燃焼機関（１）。
【請求項３】
前記第２の排気ガス流路（１２）が、前記ターボチャージャ（２）の下流側の位置で前記第１の排気ガス流路（１３）に連結される、請求項１または２に記載の燃焼機関（１）。
【請求項４】
前記絞り弁（１０）が、前記第２の排気ガス流路（１２）内のガス流を制御するように構成される、請求項１〜３のいずれか一項に記載の燃焼機関（１）。
【請求項５】
前記シリンダ（１４）から前記第１の排気ガス流路（１３）までの排気ガス流を制御するように構成された第１の排気ガス弁（７）と、前記シリンダ（１４）から前記第２の排気ガス流路（１２）までの排気ガス流を制御するように構成された第２の排気ガス弁（８）と、をさらに備える、請求項１〜４のいずれか一項に記載の燃焼機関（１）。
【請求項６】
前記第２の排気ガス弁（８）は、ピストン（１５）が前記シリンダ（１４）内を上方に動き始めるときに開けられるように構成される、請求項５に記載の燃焼機関（１）。
【請求項７】
前記第２の排気ガス弁（８）は、前記第１の排気弁（７）が閉じられるときに閉じられるように構成される、請求項５または６に記載の燃焼機関（１）。
【請求項８】
前記第２の排気ガス弁（８）が、ピストンの上死点前６０クランク角度よりも早く閉じられるように構成される、請求項５〜７のいずれか一項に記載の燃焼機関（１）。
【請求項９】
制御可能な圧縮機（４）を備える、請求項１〜８のいずれか一項に記載の燃焼機関（１）。
【請求項１０】
前記圧縮機（４）が、前記シリンダ（１４）に高圧下でガス充填を行うように構成される、請求項９に記載の燃焼機関（１）。
【請求項１１】
前記シリンダ（１４）にピストンの上死点前約６０〜３０クランク角度でガス充填を行うように構成される、請求項１〜１０のいずれか一項に記載の燃焼機関（１）。
【請求項１２】
前記第１の排気ガス弁（７）および前記第２の排気ガス弁（８）を閉じた後で前記シリンダ（１４）にガス充填を行うように構成される、請求項１〜１１のいずれか一項に記載の燃焼機関（１）。
【請求項１３】
前記絞り弁（１０）が、前記シリンダ（１４）内の混合気（１８）の温度を制御するように構成される、請求項１〜１２のいずれか一項に記載の燃焼機関（１）。
【請求項１４】
前記絞り弁（１０）が、前記シリンダ（１４）内に残る排気ガスの量を制御するように構成される、請求項１〜１３のいずれか一項に記載の燃焼機関（１）。
【請求項１５】
前記圧縮機（４）の上流側の位置に第１のインタークーラ（３）を備える、請求項１〜１４のいずれか一項に記載の燃焼機関（１）。
【請求項１６】
前記圧縮機（４）の下流側の位置に第２のインタークーラ（５）を備える、請求項１〜１５のいずれか一項に記載の燃焼機関（１）。
【請求項１７】
前記第２のインタークーラ（５）を迂回するように構成された制御可能なインタークーラバイパス（９）を備える、請求項１〜１６のいずれか一項に記載の燃焼機関（１）。
【請求項１８】
内燃機関（１）を運転する方法であって、
第１の排気ガス流路（１３）に連結された第１の排気ガス弁（７）を開けるステップであって、前記第１の排気ガス流路（１３）がターボチャージャ（２）に連結される、ステップと、
別個の第２の排気ガス流路（１２）に連結された第２の排気ガス弁（８）を開けるステップであって、前記第２の排気ガス流路（１２）が前記ターボチャージャ（２）を迂回するように構成される、ステップと、
少なくとも１つのシリンダ（１４）内の排気ガス圧力を絞り弁（１０）で制御するステップと、
を含む、方法。
【請求項１９】
２行程機関が運転される、請求項１８に記載の方法。
【請求項２０】
前記第２の排気ガス流路（１２）が、前記ターボチャージャ（２）の下流側の位置で前記第１の排気ガス流路（１３）に連結される、請求項１８または１９に記載の方法。
【請求項２１】
前記第２の排気ガス流路（１２）内のガス流が前記絞り弁（１０）によって制御される、請求項１８〜２０のいずれか一項に記載の方法。
【請求項２２】
前記シリンダ（１４）から前記第１の排気ガス流路（１３）までの排気ガス流が前記第１の排気ガス弁（７）によって制御され、前記シリンダ（１４）から前記第２の排気ガス流路（１２）までの排気ガス流が前記第２の排気ガス弁（８）によって制御される、請求項１８〜２１のいずれか一項に記載の方法。
【請求項２３】
前記第２の排気ガス弁（８）は、ピストン（１５）が前記シリンダ（１４）内を上方に動き始めるときに開けられる、請求項１８〜２２のいずれか一項に記載の方法。
【請求項２４】
前記第２の排気ガス弁（８）は、前記第１の排気弁（７）が閉じられるときに閉じられる、請求項１８〜２３のいずれか一項に記載の方法。
【請求項２５】
前記第２の排気ガス弁（８）が、ピストンの上死点前６０クランク角度よりも早く閉じられる、請求項１８〜２４のいずれか一項に記載の方法。
【請求項２６】
空気が制御可能な圧縮機（４）によって圧縮される、請求項１８〜２５のいずれか一項に記載の方法。
【請求項２７】
前記シリンダ（１４）には、前記圧縮機（４）によって高圧下でガス充填が行われる、請求項２５に記載の方法。
【請求項２８】
前記シリンダ（１４）には、ピストンの上死点前約６０〜３０クランク角度でガス充填が行われる、請求項１８〜２７のいずれか一項に記載の方法。
【請求項２９】
前記シリンダ（１４）には、前記第１の排気ガス弁（７）および前記第２の排気ガス弁（８）を閉じた後でガス充填が行われる、請求項１８〜２８のいずれか一項に記載の方法。
【請求項３０】
前記シリンダ（１４）内の混合気（１８）の温度が前記絞り弁（１０）によって制御される、請求項１８〜２９のいずれか一項に記載の方法。
【請求項３１】
前記シリンダ（１４）内に残る排気ガスの量が前記絞り弁（１０）によって制御される、請求項１８〜３０のいずれか一項に記載の方法。
【請求項３２】
前記ターボチャージャ（２）によって生成された誘導空気の熱が、前記圧縮機（４）の上流側の位置で第１のインタークーラ（３）によって減じられる、請求項１８〜３１のいずれか一項に記載の方法。
【請求項３３】
前記圧縮機（４）によって生成された誘導空気の熱が、前記圧縮機（４）の下流側の位置で第２のインタークーラ（５）によって減じられる、請求項１８〜３２のいずれか一項に記載の方法。
【請求項３４】
誘導空気が、前記第２のインタークーラ（５）を迂回するように構成されたインタークーラバイパス（９）を経由して前記シリンダ（１４）まで完全にまたは部分的に案内される、請求項１８〜３３のいずれか一項に記載の方法。
【請求項３５】
誘導空気が、前記第２のインタークーラを経由して前記シリンダ（１４）まで完全にまたは部分的に案内される、請求項１８〜３４のいずれか一項に記載の方法。
【発明の詳細な説明】
【技術分野】
【０００１】
本発明は内燃機関に関する。さらに、本発明は内燃機関を運転する方法に関する。
【背景技術】
【０００２】
燃焼機関の排気弁を閉じるときに、一定量の排気ガスが、特にターボチャージャを備える燃焼機関において、シリンダ内に残る、というのは、ターボチャージャの逆圧が、ターボチャージャを装備していない機関に比べて、排気行程中にシリンダ内の燃焼ガスの圧力を上昇させるからである。機関のシリンダ内の高圧は、例えば、シリンダ内への希薄な円錐形の短い貫通ジェットを形成するノズルを使用してシリンダ内に燃料を噴射するのを妨げることがある。
【０００３】
前述のノズルを使用して３バールを超えるシリンダ圧力で燃料を噴射すると、例えば、機関内にいわゆる均質燃焼のための均一な（ガス−）燃料混合気を生成しようとする場合に、燃料の蒸発を著しく妨げることが当技術分野でよく知られている。ある実施形態では、均質燃焼は機関内の粒子および窒素酸化物（ＮＯｘ）の自由燃焼を可能にし、排気ガスの高価なさらなる処理をほぼ完全に回避することが可能になる。
【０００４】
独国特許出願公開第３８２１９３７号明細書は、それぞれ１つの排気弁によって制御されるシリンダ当たり２つの排気ポートと、チャージ圧力を制限するために吹出し弁によって制御される、排気ターボチャージャのタービンがバイパスラインによって迂回され得る排気ターボチャージャと、を有するバルブタイミングギヤを備える内燃機関において、各シリンダの第１の排気ポートは排気ラインを経由してタービン入口に連結され、各シリンダの第２の排気ポートはバイパスラインに連結されることを開示している。排気ラインの断面は、最大許容チャージ圧力に必要な排気ガスの質量流量のためだけに設計される。その結果、排気ガスがタービンに入るための高流量および排気ターボチャージャの迅速な応答が達成される。
【０００５】
さらに、米国特許第５４１７０６８号明細書は、排気システムが触媒排気クリーナを組み込んであるターボ圧縮機型の排気駆動式過給機を取り付けられたマルチシリンダ内燃機関内の分割排気流用の排気流システムを記述しており、この内燃機関の各シリンダは第１の排気弁と第２の排気弁の両方を有しており、第１の排気弁から放出された排気ガスはシリンダに共通の第１の排気収集器に供給され、第１の排気収集器は第１の排気分岐管によって排気タービン入口に直接連結されており、第２の排気弁から放出された排気ガスはマフラを組み込んだ排気管に供給される。機関の運転状態に従って調整可能な少なくとも１つの弁が、シリンダの第２の排気弁の下流側に、第２の排気弁が排気タービン出口とマフラとの間の排気管に連結された状態で配置される。この構造の目的は、シリンダから排気ガスを取り出して空にすることに関して他のシリンダの悪影響を防ぐことである。
【０００６】
さらに、独国特許出願公開第１０２００８０３６３０８号明細書は、複数のシリンダのそれぞれに配置された２つの出口弁を備える排気ガスターボチャージャを有する機関を教示している。各シリンダの出口弁は２つの群に一体化される。排気ガスは、出口弁から群に取り付けられた排気ガス流路を経由して排気ガスターボチャージャまで案内される。可変弁コントローラが、機関の運転条件に応じて排気ガス弁の開き時間を制御する。排気ガスターボチャージャの寸法は同じである。
【０００７】
さらに、独国特許出願公開第３８２１９３５号明細書は、シリンダ当たり２つの排気ポートを有しかつ排気ターボチャージャを有するバルブタイミングギヤを備える内燃機関であって、すべてのシリンダの第１の排気ポートがタービン入口に連結され、すべてのシリンダの第２の排気ポートがタービンを迂回するバイパスラインに連結される、内燃機関を開示している。第２の排気弁は、排気ガスエネルギーのより大きな部分が排気ガスタービンを駆動するために使用され得るように、第１の排気弁より遅く開けられる。第２の排気弁を開けると、排気ガス質量流量の一部が排気ガスタービンのそばを通り過ぎて導かれ、それによってチャージ圧力を制限する。第２の排気弁には、好ましくは可変バルブタイミングギヤが設けられ、可変弁タイミングギヤは、一定のチャージ圧力に到達すると、開放点を前の開放の方に移動させかつ／または弁リフトを増大させる。
【０００８】
上記を考えると、燃焼機関のシリンダ内に残る排気ガスの量が制御および／または削減され得る、燃焼機関および燃焼機関を運転する方法を提供することが有益であろう。このシステムは、産業規模で製造することができるものとする。
【先行技術文献】
【特許文献】
【０００９】
【特許文献１】独国特許出願公開第３８２１９３７号明細書
【特許文献２】米国特許第５４１７０６８号明細書
【特許文献３】独国特許出願公開第１０２００８０３６３０８号明細書
【特許文献４】独国特許出願公開第３８２１９３５号明細書
【発明の概要】
【発明が解決しようとする課題】
【００１０】
本発明は、独立請求項の特徴によって定義される。いくつかの特定の実施形態が従属請求項で定義される。
【００１１】
本発明の第１の態様によれば、燃焼機関であって、それぞれ少なくとも１つのシリンダに連結された第１の排気ガス流路および別個の第２の排気ガス流路であって、第１の排気ガス流路がターボチャージャにさらに連結され、第２の排気ガス流路がターボチャージャを迂回するように構成される、第１の排気ガス流路および第２の排気ガス流路と、シリンダ内の排気ガス圧力を制御するように構成された、第２の排気ガス流路内の絞り弁と、を備える燃焼機関が提供される。
【課題を解決するための手段】
【００１２】
第１の態様の様々な実施形態が、以下のビュレット付きリストからの少なくとも１つの特徴を含むことができる。
・燃焼機関は２行程機関である
・第２の排気ガス流路は、ターボチャージャの下流側の位置で第１の排気ガス流路に連結される
・絞り弁は、第２の排気ガス流路内のガス流を制御するように構成される
・燃焼機関は、シリンダから第１の排気ガス流路までの排気ガス流を制御するように構成された第１の排気ガス弁と、シリンダから第２の排気ガス流路までの排気ガス流を制御するように構成された第２の排気ガス弁と、をさらに備える
・第２の排気ガス弁は、ピストンがシリンダ内を上方に動き始めるときに開けられるように構成される
・第２の排気ガス弁は、第１の排気弁が閉じられるときに閉じられるように構成される
・第２の排気ガス弁は、ピストンの上死点前６０クランク角度よりも早く閉じられるように構成される
・燃焼機関は制御可能な圧縮機を備える
・圧縮機は、シリンダに高圧下でガス充填を行うように構成される
・燃焼機関は、シリンダにピストンの上死点前６０〜３０クランク角度、例えば６０〜４０クランク角度でガス充填を行うように構成される
・燃焼機関は、第１の排気ガス弁および第２の排気ガス弁を閉じた後でシリンダにガス充填を行うように構成される
・絞り弁は、シリンダ内の混合気の温度を制御するように構成される
・絞り弁は、シリンダ内に残る排気ガスの量を制御するように構成される
・燃焼機関は、圧縮機の上流側の位置に第１のインタークーラを備える
・燃焼機関は、圧縮機の下流側の位置に第２のインタークーラを備える
・燃焼機関は、第２のインタークーラを迂回するように構成された制御可能なインタークーラバイパスを備える
【００１３】
本発明の第２の態様によれば、内燃機関を運転する方法が提供され、この方法は、第１の排気ガス流路に連結された第１の排気ガス弁を開けるステップであって、第１の排気ガス流路がターボチャージャに連結される、ステップと、別個の第２の排気ガス流路に連結された第２の排気ガス弁を開けるステップであって、第２の排気ガス流路がターボチャージャを迂回するように構成される、ステップと、少なくとも１つのシリンダ内の排気ガス圧力を絞り弁で制御するステップと、を含む。
【００１４】
第２の態様の様々な実施形態が、以下のビュレット付きリストからの少なくとも１つの特徴を含むことができる。
・２行程機関が運転される
・第２の排気ガス流路は、ターボチャージャの下流側の位置で第１の排気ガス流路に連結される
・第２の排気ガス流路内のガス流が絞り弁によって制御される
・シリンダから第１の排気ガス流路までの排気ガス流が第１の排気ガス弁によって制御され、シリンダから第２の排気ガス流路までの排気ガス流が第２の排気ガス弁によって制御される
・第２の排気ガス弁は、ピストンがシリンダ内を上方に動き始めるときに開けられる
・第２の排気ガス弁は、第１の排気弁が閉じられるときに閉じられる
・第２の排気ガス弁は、ピストンの上死点前６０クランク角度よりも早く閉じられる
・空気が圧縮機によって圧縮される
・空気がターボチャージャによって圧縮される
・シリンダには、圧縮機によって高圧下でガス充填が行われる
・シリンダには、ピストンの上死点前６０〜３０クランク角度、例えば６０〜４０クランク角度でガス充填が行われる
・シリンダには、第１の排気ガス弁および第２の排気ガス弁を閉じた後でガス充填が行われる
・シリンダ内の混合気の温度が絞り弁によって制御される
・シリンダ内に残る排気ガスの量が絞り弁によって制御される
・ターボチャージャによって生成された誘導空気の熱が、圧縮機の上流側の位置で第１のインタークーラによって減じられる
・圧縮機によって生成された誘導空気の熱が、圧縮機の下流側の位置で第２のインタークーラによって減じられる
・誘導空気が、第２のインタークーラを迂回するように構成されたインタークーラバイパスを経由してシリンダまで完全にまたは部分的に案内される
・誘導空気が、第２のインタークーラを経由してシリンダまで完全にまたは部分的に案内される
【００１５】
本発明のある実施形態によってかなりの利点が得られる。内燃機関および内燃機関を運転する方法が提供される。ある実施形態によれば、本発明は、いわゆるＺモータ（Ｚ−ｍｏｔｏｒ）を対象とする。特に、少なくとも１つのシリンダおよびターボチャージャを連結する第１の排気ガス流路ならびにシリンダに連結されかつターボチャージャを迂回する第２の排気ガス流路を備える２行程機関であって、シリンダ内の圧力が制御され得るようにする絞り弁が第２の排気ガス流路内に配置される、２行程機関。したがって、粒子およびＮＯｘの自由燃焼が本発明のある実施形態に従って起こり得る。その結果として、排気ガスの後処理を完全にまたはほぼ完全に回避することができる。
【００１６】
さらに、シリンダ内の混合気の将来の温度は絞り弁によって制御され得る。さらに、シリンダ内の混合気の着火感度も絞り弁によって制御され得る。
【図面の簡単な説明】
【００１７】
【図１】本発明の少なくともいくつかの実施形態による燃焼機関の概略図である。
【図２ａ】着火燃料噴射、燃焼および作業行程中の本発明の少なくともいくつかの実施形態による燃焼機関のシリンダの概略断面図である。
【図２ｂ】排気行程中の本発明の少なくともいくつかの実施形態による燃焼機関のシリンダの概略断面図である。
【図２ｃ】燃料噴射中の本発明の少なくともいくつかの実施形態による燃焼機関のシリンダの概略断面図である。
【図２ｄ】空気取入れ中の本発明の少なくともいくつかの実施形態による燃焼機関のシリンダの概略断面図である。
【図２ｅ】最終圧縮中の本発明の少なくともいくつかの実施形態による燃焼機関のシリンダの概略断面図である。
【発明を実施するための形態】
【００１８】
図１には、本発明の少なくともいくつかの実施形態による燃焼機関１の概略図が示されている。内燃機関１は、２行程機関、例えばＺモータであり、機関１の圧縮機４内に空気を押し込むように構成されたターボチャージャ２を備える。ターボチャージャ２は、第１のインタークーラ３を介して制御可能な圧縮機４に連結される。誘導空気の質量流量を圧縮機４で調整することができる。空気の圧力、温度、および密度を圧縮機４で高めることができる。第１のインタークーラ３は、ターボチャージャ２によって生成された誘導空気の熱を減じるように構成される。圧縮機４は、第２のインタークーラ５を介して燃焼機関１の少なくとも１つのシリンダ１４にさらに連結される。第２のインタークーラ５は、圧縮機４によって生成された誘導空気の熱を減じるように構成される。さらに、制御可能なインタークーラバイパス９が設けられる。第２のインタークーラ５は、必要に応じて、誘導空気が圧縮機４から燃焼機関１の少なくとも１つのシリンダ１４内に設けられた燃焼室１７まで直接流れるのを可能にするためにインタークーラバイパス９によって部分的にまたは完全に迂回され得る。誘導空気は、入口弁６を経由して燃焼機関１のシリンダ１４内に案内される。図示の実施形態では少なくとも１つの入口弁６が各シリンダ１４に設けられる。
【００１９】
さらに、各シリンダ１４は第１の排気弁７および第２の排気弁８を備える。ピストン（図示せず）がシリンダ１４内を上方に移動しているとき、燃焼ガスは、排気弁７が閉じるまで、すなわち一般にピストンの上死点前の６０度よりも早く、ターボチャージャの逆圧に逆らってシリンダ１４から機関の排気弁７を経由してターボチャージャ２へ押し出される。排気ガスの大部分は各シリンダ１４から単一の主排気流路または排気ダクト１３へ案内され、主排気流路または排気ダクト１３はターボチャージャ２に連結され、さらに燃焼機関１からの排気ガスの出口を提供する。
【００２０】
シリンダ１４内の燃焼ガスの圧力を低下させるために、追加の第２の排気弁８がシリンダ１４内に設置される。各シリンダ１４から排気ガスを単一のタービンバイパス流路またはバイパスダクト１２に案内することができ、タービンバイパス流路またはバイパスダクト１２は、ターボチャージャのタービン１１のそばを通り過ぎてつながり、次いでターボチャージャのタービン１１から来る排気ダクト１３に連結する。ターボチャージャのタービン１１に続く排気ダクト１３の部分では、低い逆圧がほぼ周囲の大気圧に勝る。タービンバイパスダクト１２は、調整可能な絞り弁１０をさらに備える。
【００２１】
第２の排気弁８は、燃焼ガスがターボチャージャのタービン１１を迂回できるようにする手段であり、ピストンが下死点に近づくときに、通常はシリンダ１４からの燃焼ガスの排出中にピストンが上方に動き始めるときに開き始めるように構成され、典型的には排気ガスをターボチャージャのタービン１１に持っていく第１の排気弁７と同時に、すなわち一般にピストンの上死点前６０度よりも早く閉じる。シリンダ１４内の圧力は、例えば、第２の排気弁８が開き始めるときに３バール〜４バールとすることができる。
【００２２】
燃焼機関１の第２の排気弁８に連結された排気ダクト１２内の前述の絞り弁１０を制御することにより、シリンダ１４内に残る排気ガスの圧力および量を制御または調整することができる。さらに、ピストンが混合気をピストン１５の上死点で圧縮しているときに、シリンダ１４内の混合気１８の将来の温度および着火感度を制御または調整することができる。
【００２３】
次いで、ピストンの上死点前約６０〜３０クランク角度または約６０〜４０クランク角度で、シリンダ１４に高圧下で新たなガス充填が行われる。第１の排気弁７および第２の排気弁８は、その前に既に閉じられている。
【００２４】
コンピュータシミュレーションおよび試験用機関は、本明細書に記載されている内燃機関１の運転が正常に機能することを示している。例えば、燃焼機関１の最大回転速度は、燃焼機関１が１つの排気弁７だけを必要とするように約３５００ｒｐｍとすることができる。したがって、例えば、機関１のシリンダヘッド内には、ターボチャージャのタービンのバイパス排気弁８およびターボチャージャのタービンバイパスダクト１２のための空間がある。
【００２５】
図２ａには、着火燃料噴射、燃焼および作業行程中の本発明の少なくともいくつかの実施形態による燃焼機関のシリンダ１４の概略断面図が示されている。その場合、混合気の着火の瞬間は、例えば点火プラグを使用する様々な外的方法、または図２ａに示されている着火燃料１９の噴射により制御することができる。
【００２６】
図２ｂには、排気行程中の本発明の少なくともいくつかの実施形態による燃焼機関のシリンダ１４の概略断面図が示されている。機関の排気弁７が一般にピストン１５の下死点前約５０〜６０クランク角度で開くときに、シリンダ圧力の急速な低下、いわゆるブローダウンが起こる。この圧力パルスは、約６０〜８０クランクシャフト角度の間続くものであり、いわゆるバルスターボチャージャを使用する場合、ターボチャージャのポテンシャルエネルギーの実に７０％を含んでいる。この後、上方に動くピストン１５は、排気弁７が閉じるまで、一般に２〜４バールであるターボチャージャの逆圧に逆らって燃焼ガスをシリンダ１４から機関の排気弁７を経由してターボチャージャ２へ押し出す。一般に、排気弁７は、ピストンの上死点前６０度よりも早く閉じる。この場合は、かなりの量の燃焼ガスがシリンダ１４内に残り、この燃焼ガスの圧力はターボチャージャの逆圧とほぼ同じである。
【００２７】
燃焼機関は第２の排気弁８をさらに備え、第２の排気弁８は第２の排気ガス流路に連結されている。第２の排気ガス流路はターボチャージャ２を迂回する。絞り弁１０が、第２の排気ガス流路１２内に配置される。絞り弁１０は、シリンダ１４内の圧力を制御するように構成される。排気ガス流路１３の出口における圧力は周囲空気の圧力であるので、その結果として、シリンダ１４内に残る燃焼ガスの量は、第２の排気弁、第２の排気ガス流路、および絞り弁を組み合わせることで減じることができる。
【００２８】
図２ｃには、燃料噴射中の本発明の少なくともいくつかの実施形態による燃焼機関のシリンダ１４の概略断面図が示されている。機関１の無故障運転に関して、シリンダ１４内の燃焼ガスの圧力を制御することが必要である。また、機関のシリンダ１４内の燃焼ガス残渣の量は、シリンダ１４内に含まれるガス中への燃料の噴射が図２ｄに示されているシリンダ１４内への新たなガス充填の導入前に十分に機能するように制御される。燃料は、例えば、円錐形ジェット１６の形でシリンダ１４内に噴射され得る。シリンダ１４内に含まれるガスの圧力は、例えば３バール未満とすることができる。
【００２９】
図２ｄには、空気取入れ中の本発明の少なくともいくつかの実施形態による燃焼機関１のシリンダ１４の概略断面図が示されている。入口弁６は、新たなガス充填がシリンダ１４に流れ込むのを可能にするために開けられている。シリンダ１４内の燃焼ガス、掃気ガス、および燃料蒸気の混合気１８の温度は、シリンダ１４内の前述の混合気１８の温度が、ピストン１５がその混合気１８を図２ｅに示されているピストン１５の上死点まで圧縮しているときに、混合気の自己着火を妨げるほど十分低くなるように、十分に低下することになる。
【００３０】
図２ｅには、最終圧縮中の本発明の少なくともいくつかの実施形態による燃焼機関１のシリンダ１４の概略断面図が示されている。
【００３１】
開示される本発明の諸実施形態は、本明細書に開示される特定の構造、プロセスステップ、または材料に限定されるものではなく、当業者なら認識するであろうそれらの均等物に拡張されることを理解すべきである。本明細書に使用されている用語は、特定の実施形態だけを説明するために用いられ、限定するものではないことも理解されるべきである。
【００３２】
本明細書全体を通しての一実施形態またはある実施形態への言及は、その実施形態に関連して記述される特定の特徴、構造、または特性が本発明の少なくとも１つの実施形態に含まれることを意味する。したがって、本明細書全体を通しての「一実施形態では（ｉｎ  ｏｎｅ  ｅｍｂｏｄｉｍｅｎｔ）」または「ある実施形態では（ｉｎ  ａｎ  ｅｍｂｏｄｉｍｅｎｔ）」という言い回しは、必ずしもすべて同じ実施形態を指すわけではない。例えば、約（ａｂｏｕｔ）や実質的に（ｓｕｂｓｔａｎｔｉａｌｌｙ）などの用語を用いて数値を参照する場合、正確な数値も開示される。
【００３３】
本明細書では、複数の品目、構造要素、構成要素、および／または材料が便宜のために共通リストで提示され得る。しかしながら、これらのリストは、リストの各部材が別個かつ一意の部材として個々に識別されるものと解釈されるべきである。したがって、かかるリストの個々の部材は、相反する指示なしに、もっぱら共通の群におけるそれらの提示に基づいて同じリストの他の部材の事実上の均等物として解釈されるべきではない。加えて、本発明の様々な実施形態および例が、本発明の様々な構成要素の代替手段と共に本明細書で参照され得る。そのような実施形態、例、および代替形態は、互いに事実上の均等物として解釈されるべきではなく、本発明の別々の自立的な表現と見なされるべきであることが理解されよう。
【００３４】
さらに、上述の特徴、構造、または特性は、１つまたは複数の実施形態における任意適当な形で組み合わされ得る。以下の説明では、本発明の諸実施形態の完全な理解を与えるために、長さ、幅、形状等の例などの多くの特定の詳細が提供される。しかしながら、当業者なら、本発明は、具体的な詳細のうちの１つまたは複数を用いずに、または他の方法、構成要素、材料などを用いて実施され得ることを理解するであろう。他の例では、本発明の諸態様を不明瞭にするのを避けるために、周知の構造、材料、または動作は詳細には図示または記述されない。
【００３５】
前述の例は、１つまたは複数の特定の用途における本発明の原理を例示するものであるが、実施の形態、使用法および詳細における多くの修正が発明の能力を使用せずにかつ本発明の原理および概念から逸脱することなくなされ得ることは、当業者には明らかであろう。したがって、本発明は、下記の特許請求の範囲による場合を除いて限定されるものではない。
【００３６】
「備える（ｔｏ  ｃｏｍｐｒｉｓｅ）」および「含む（ｔｏ  ｉｎｃｌｕｄｅ）」という動詞は、本明細書では、列挙されていない特徴の存在を除外することもないし必要とすることもない開かれた限定として用いられる。従属請求項に記載されている特徴は、特に明記されていない限り、相互に自由に組み合わせることができる。さらに、本明細書全体を通しての「ａ」または「ａｎ」すなわち単数形の使用は複数を除外しないことを理解すべきである。
【産業上の利用可能性】
【００３７】
本発明の少なくともいくつかの実施形態は、内燃機関および内燃機関を運転する方法において産業上の用途を見いだす。
【符号の説明】
【００３８】
１  燃焼機関
２  ターボチャージャ
３  第１のインタークーラ
４  圧縮機
５  第２のインタークーラ
６  入口弁
７  第１の排気弁
８  第２の排気弁
９  インタークーラバイパス
１０  絞り弁
１１  ターボチャージャタービン
１２  タービンバイパスダクト
１３  排気ダクト
１４  シリンダ
１５  ピストン
１６  円錐形ジェット
１７  燃焼室
１８  混合気
１９  着火燃料
【図１】
2020514607.tif 000003
【図２ａ】
2020514607.tif 000004
【図２ｂ】
2020514607.tif 000005
【図２ｃ】
2020514607.tif 000006
【図２ｄ】
2020514607.tif 000007
【図２ｅ】
2020514607.tif 000008
【国際調査報告】
2020514607.tif 000009
2020514607.tif 000010
2020514607.tif 000011
2020514607.tif 000012
2020514607.tif 000013